(57)【要約】【課題】ハンドセット３が主制御部側回路４０に取付けられる構成であっても、結合用絶縁部２３が１で済むようにする。【解決手段】ファクシミリ装置本体とハンドセット３とが、１の結合用絶縁部２３を介して通信できるように、当該ファクシミリ装置本体とハンドセット３との信号を切換える複数信号切換スイッチ４４を設ける。【選択図】　　　　図１
2004104557.tif 000002
【特許請求の範囲】
【請求項１】
半導体ＤＡＡからなり回線側に設けられた回線側回路と、半導体ＤＡＡからなりファクシミリ装置本体側に設けられた主制御部側回路と、これら回線側回路と主制御部側回路とを結合する結合用絶縁部とで形成されて、回線とファクシミリ装置本体とのインターフェースをなして網制御等を行う回線インタフェース部を備えると共に、前記主制御部側回路にハンドセットが接続可能に設けられてなるファクシミリ装置において、
前記ファクシミリ装置本体と前記ハンドセットとが、１の前記結合用絶縁部を介して通信できるように、当該ファクシミリ装置本体とハンドセットとの信号を切換える複数信号切換スイッチを設けたことを特徴とするファクシミリ装置。
【請求項２】
前記回線側回路と前記主制御部側回路とがディジタル信号により送受信を行うように、回線を介して前記回線側回路に受信されたアナログ信号をＡ／Ｄ変換して前記主制御部側回路に出力すると共に、該主制御部側回路から入力したディジタル信号をＤ／Ａ変換して回線に出力する回線側ＣＯＤＥＣが前記回線側回路に設けられ、かつ、
前記ハンドセットからのアナログ信号をＡ／Ｄ変換して前記主制御部側回路に出力すると共に該主制御部側回路からのディジタル信号をＤ／Ａ変換して前記ハンドセットに出力するハンドセット側ＣＯＤＥＣが前記主制御部側回路に設けられていることを特徴とする請求項１記載のファクシミリ装置。
【請求項３】
前記結合用絶縁部によりファクシミリ通信信号等のディジタル信号とハンドセット通話信号等のアナログ信号との両方の信号が伝送できるように、前記回線側回路及び前記主制御部側回路に伝送信号がディジタル信号であるかアナログ信号であるかに応じて切換制御が行われるＡ／Ｄ信号切換スイッチを設けたことを特徴とする請求項１記載のファクシミリ装置。
【請求項４】
前記主制御部側回路に、当該主制御部側回路と前記ハンドセットとの間で送受信する信号のゲイン調整を行う送話／受話アンプを設けたことを特徴とする請求項１乃至３いずれか１項記載のファクシミリ装置。
【請求項５】
前記複数信号切換スイッチ又は前記Ａ／Ｄ信号切換スイッチが、ハンドセット通話信号が検出された場合には前記主制御部側回路と前記ハンドセットとを接続するように切換制御され、前記回線側回路からのフック信号、リンギング信号等の回線制御信号及びファクシミリ通信信号が検出された場合には前記主制御部側回路と前記ファクシミリ装置本体とを接続するように切換制御されることを特徴とする請求項１乃至４いずれか１項記載のファクシミリ装置。
【発明の詳細な説明】
【０００１】
【発明の属する技術分野】
本発明は、回線に接続される回線側回路とファクシミリ装置本体側に接続される主制御部側回路とが半導体素子により形成され、この主制御部側回路にハンドセットが接続できるように形成された回線ＩＦ部を備えるファクシミリ装置に関する。
【０００２】
【従来の技術】
従来、ファクシミリ装置においては、回線とファクシミリ装置本体とのインターフェース（ＩＦ）をとるために、回線ＩＦ部が設けられているが、かかる回線ＩＦ部ではモデムと回線とのインピーダンス整合及び回線側の回路とモデム側の回路との間の絶縁を目的として６００Ωで終端されたトランスが用いられ、またＣＮＧ信号／ＦＣ信号／ＤＴＭＦ信号の各トーン信号における回線側の回路とモデム側の回路との間の伝送及び絶縁にハイインピーダンスで終端されたトランスの二つのトランスが使用されている（特許文献１、特許文献２参照）。
【０００３】
ところが最近では、回線ＩＦ部のアナログ回路を半導体化してトランスを使用しない半導体ＤＡＡ（ＤＡＡ：Ｄａｔａ　Ａｃｃｅｓｓ　Ａｒｒａｎｇｅｍｅｎｔ）の適用が検討されて回路の簡略化／小型化、コストダウンが図られている。
【０００４】
図７は、かかる半導体ＤＡＡにより形成された回線ＩＦ部１００を持つファクシミリ装置の概略構成を示す図で、回線２側には回線側回路１１３、ファクシミリ装置本体側には主制御部側回路１１５が設けられ、これらが２つの結合用絶縁部１１４により接続された構成となっている。
【０００５】
【特許文献１】
特開平５−１２２４２８号公報
【特許文献２】
特開平８−１３９８６６号公報
【０００６】
【発明が解決しようとする課題】
しかしながら、主制御部側回路１１５にハンドセット１１６が取付けられる場合には、結合用絶縁部１１４はファクシミリ本体側用とハンドセット側用と２つ必要になるが、かかる結合用絶縁部１１４は安全・通信規格上から例えば高い絶縁耐圧をもつコンデンサを用いて形成しなければならず、コストアップの要因になると共に回線ＩＦ部１００の小型化を阻む要因となる問題があった。
【０００７】
そこで、本発明は、ハンドセットが主制御部側回路に取付けられる構成であっても、結合用絶縁部が１で済むようにして小型化及びコストダウンを可能にしたファクシミリ装置を提供することを目的とする。
【０００８】
【課題を解決するための手段】
上記課題を解決するため、請求項１にかかる発明は、半導体ＤＡＡからなり回線側に設けられた回線側回路と、半導体ＤＡＡからなりファクシミリ装置本体側に設けられた主制御部側回路と、これら回線側回路と主制御部側回路とを結合する結合用絶縁部とで形成されて、回線とファクシミリ装置本体とのインターフェースをなして網制御等を行う回線インタフェース部を備えると共に、主制御部側回路にハンドセットが接続可能に設けられてなるファクシミリ装置において、ファクシミリ装置本体とハンドセットとが、１の結合用絶縁部を介して通信できるように、当該ファクシミリ装置本体とハンドセットとの信号を切換える複数信号切換スイッチを設けて、ハンドセットが主制御部側回路に取付けられる構成であっても、結合用絶縁部が１で済むようにして装置の小型化及びコストダウンを可能にしたことを特徴とする。
【０００９】
請求項２にかかる発明は、回線側回路と主制御部側回路とがディジタル信号により送受信を行うように、回線を介して回線側回路に受信されたアナログ信号をＡ／Ｄ変換して主制御部側回路に出力すると共に、該主制御部側回路から入力したディジタル信号をＤ／Ａ変換して回線に出力する回線側ＣＯＤＥＣが回線側回路に設けられ、かつ、ハンドセットからのアナログ信号をＡ／Ｄ変換して主制御部側回路に出力すると共に該主制御部側回路からのディジタル信号をＤ／Ａ変換してハンドセットに出力するハンドセット側ＣＯＤＥＣが主制御部側回路に設けられていることを特徴とする。
【００１０】
請求項３にかかる発明は、結合用絶縁部によりファクシミリ通信信号等のディジタル信号とハンドセット通話信号等のアナログ信号との両方の信号が伝送できるように、回線側回路及び主制御部側回路に伝送信号がディジタル信号であるかアナログ信号であるかに応じて切換制御が行われるＡ／Ｄ信号切換スイッチを設けたことを特徴とする。
【００１１】
請求項４にかかる発明は、主制御部側回路に、当該主制御部側回路とハンドセットとの間で送受信する信号のゲイン調整を行う送話／受話アンプを設けたことを特徴とする。
【００１２】
請求項５にかかる発明は、複数信号切換スイッチ又はＡ／Ｄ信号切換スイッチが、ハンドセット通話信号が検出された場合には主制御部側回路とハンドセットとを接続するように切換制御され、回線側回路からのフック信号、リンギング信号等の回線制御信号及びファクシミリ通信信号が検出された場合には主制御部側回路とファクシミリ装置本体とを接続するように切換制御されることを特徴とする。
【００１３】
【発明の実施の形態】
本発明の実施の形態を図を参照して説明する。図１は、本発明に係るファクシミリ装置の概略構成を示すブロック図である。
【００１４】
当該ファクシミリ装置１は、主制御部１０、モデム１２、ＲＯＭ１３、ＲＡＭ１４、画情報メモリ１５、符号化復号化部１６、読取部１７、記録部１８、操作部１９、表示部２０等を有して、これらがシステムバスにより相互に接続されている。
【００１５】
また、主制御部１０には回線ＩＦ部１１が接続され、この回線ＩＦ部１１に回線２が接続されている。
【００１６】
さらに、当該ファクシミリ装置１には、ハンドセット３が取付可能に設けられて、このハンドセット３は回線ＩＦ部１１及びモデム１２に接続される。
【００１７】
ＲＯＭ１３は、主制御部１０が装置各部を制御するための制御プログラムが記憶されているリードオンリメモリである。
【００１８】
ＲＡＭ１４は、主制御部１０の作業領域として使用されるランダムアクセスメモリである。なお、ＲＡＭ１４は、図示しないバックアップ用回路によりバックアップされて装置電源遮断時にも記憶内容が保持されるようにすることが好ましい。
【００１９】
そして、主制御部１０は、ＲＯＭ１３に書き込まれた制御プログラムにしたがってＲＡＭ１４を作業領域として使用しながら、符号化復号化部１６、読取部１７、回線ＩＦ部１１等の装置各部を制御する。
【００２０】
画情報メモリ１５は、読取部１７で読取った画情報をメモリ送信するために一時的にファイルとして蓄積する圧縮データメモリー用のＳＡＦメモリ、受信した画情報を記録部１８により記録するまでファイルとして一時的に蓄積してデータを記録する際に生データを展開するバッファ用のページメモリ等を備えている。
【００２１】
符号化復号化部１６は、送信画情報をＭＨ・ＭＲ・ＭＭＲ符号化方式等の所定の符号化方式で圧縮する一方、受信画情報をＭＨ・ＭＲ・ＭＭＲ復号化方式等の所定の復号化方式で伸張するものである。
【００２２】
読取部１７は、３．８５本／ｍｍ、７．７本／ｍｍ、１５．４本／ｍｍ等の所定の読取線密度で原稿画像を読取って画情報を得るためのもので、読取った画情報は一旦ラインバッファに逐次蓄積されて必要とされる機器に転送されるようになっている。
【００２３】
記録部１８は、受信した画情報をその線密度に応じて記録出力したり、読取部１７で読取った画情報をその線密度に応じて記録出力（コピー動作）するためのものであり、また管理リポートの出力にも用いられる。
【００２４】
操作部１９は、宛先電話番号を指定するためのテンキー、スタートキー、ワンタッチダイヤルキー及びその他各種キーを備え、ユーザに知らせるべき装置の動作状態や各種メッセージは液晶・ＬＥＤ等から形成された表示部２０に表示される。
【００２５】
モデム１２は、回線ＩＦ部１１を介して回線２に送信するデータを変調する一方、当該回線ＩＦ部１１を介して回線２から受信するデータを復調するものである。
【００２６】
ハンドセット３は、回線ＩＦ部１１の二次側（後述する主制御部側回路４０）に接続されて、回線２を介して通話を行うものである。
【００２７】
回線ＩＦ部１１は、主制御部１０より発着呼の際に回線２の制御等を行うものであり、近年その機能を半導体プロセスにより具現化した半導体ＤＡＡが用いられるようになっている。なお、半導体としてＳｉやＧａＡｓ等種々の半導体があるが、以下の説明においてはこの半導体素子をＳｉＤＡＡと記載する。しかし、本発明はこのＳｉに限定されるものではないことを敢て付言する
【００２８】
回線ＩＦ部１１の構成を図２を参照して説明する。当該回線ＩＦ部１１は、回線側回路３０、主制御部側回路４０、これら回線側回路３０と主制御部側回路４０とを直流的に絶縁しながら信号伝達を行う結合用絶縁部２３を主要構成とし、回線側回路３０及び主制御部側回路４０がＳｉＤＡＡにより形成されている。
【００２９】
この他、当該回線ＩＦ部１１には、回線２の直流ループ電流の極性を一方向に整流する全波整流器であるダイオードブリッジ２１、高耐圧ＭＯＳＦＥＴにより形成されてモデム１２をオフフック状態にさせるフックスイッチ２２等が設けられている。
【００３０】
近年、モデム１２では高速に変復調が行えるように等の観点から、ＤＳＰ（Ｄｉｇｉｔａｌ　ＳｉｇｎａｌＰｒｏｃｅｓｓｏｒ）が用いられている。
【００３１】
このＤＳＰで扱う信号はディジタル信号であり、回線２がアナログ信号の場合には、アナログ信号とディジタル信号との変換（Ａ／Ｄ変換、Ｄ／Ａ変換）が必要となり、かかる変換は、ＣＯＤＥＣ（ＣＯｄｅｒ　ＤＥＣｏｄｅｒ）により行われ、当該ＣＯＤＥＣを回線側回路３０に設けるかモデム１２側（主制御部回路４０よりファクシミリ装置本体側の意味である）に設けるかによりＳｉＤＡＡは２つのタイプに大別される。
【００３２】
即ち、ＣＯＤＥＣを回線側回路３０に設けた場合には、当該回線側回路３０と主制御部側回路４０とは、ディジタル信号を送受信する構成となり、結合用絶縁部２３に高絶縁のコンデンサが一般的に用いられる。
【００３３】
一方、ＣＯＤＥＣをモデム１２に設けた場合には、当該回線側回路３０と主制御部側回路４０とは、アナログ信号を送受信する構成となり、結合用絶縁部２３にフォトカプラ等が一般的に用いられる。
【００３４】
本実施の形態では、図２に示すようにＣＯＤＥＣを回線側回路３０に設けた場合を例に説明するが、これに限定されるものではないことを予め付言する。
【００３５】
回線側回路３０は、リンギング検出回路３２、電流センサ３１、ハイブリットネットワーク３６、受信アンプ３５、送信アンプ３４、終端抵抗３３、回線側絶縁ＩＦ３８等を有して、極給電により動作する。
【００３６】
リンギング検出回路３２は、リンギングを検出するためのものである。回線２からリンギング信号がリンギング検出回路３２に到来すると、それと同じサイクルの信号を回線側絶縁ＩＦ３８、結合用絶縁部２３のコンデンサ２４、主制御部側絶縁ＩＦ４１を介して制御ＩＦ４２に出力する。そして、制御ＩＦ４２はレベル反転したリング検出信号（Ｈ⇔Ｌ）を主制御部１０に出力し、これによりリンギングが検出できるようになっている。
【００３７】
電流センサ３１は、オフフックを検出するものである。オフフックしてファクシミリ通信／ハンドセット通話が始まると回線２には直流ループ電流が流れる。そこで、この直流ループ電流を検出し、その検出信号を回線側絶縁ＩＦ３８、コンデンサ２５、主制御部側絶縁ＩＦ４１を介して制御ＩＦ４２に出力し、この制御ＩＦからフック検出信号が主制御部１０に入力されてオフフックが検出される。
【００３８】
ハイブリットネットワーク３６は、回線２からのファクシミリ信号／ハンドセット通話信号を送信信号と受信信号とに分離する２線−４線変換回路、送信信号が受信経路に回込むのを抑制するキャンセラー回路及びフィルタ回路等からなっている。
【００３９】
受信アンプ３５、送信アンプ３４は、送信信号及び受信信号のゲイン調整を行うものである。
【００４０】
終端抵抗３３は回線２の終端インピーダンスを決定する高抵抗値の抵抗であり、その仕様は各国の通信規格により定められている。
【００４１】
回線側ＣＯＤＥＣ３７は、ファクシミリ信号／ハンドセット通話信号のＡ／Ｄ変換及びＤ／Ａ変換を行うものである。この回線側ＣＯＤＥＣ３７が、回線側回路３０に設けられているので、結合用絶縁部２３ではディジタル信号を伝送することになり高絶縁のコンデンサ２４、２５が用いられ、回路を簡略化するためにシリアル転送を行うように構成されている。
【００４２】
フックスイッチ２２は、高耐圧のＭＯＳＦＥＴ等により形成され、モデム１２をオフフック状態にするためのものである。ファクシミリ通信／ハンドセット通話が始まると、主制御部１０からフックスイッチ制御信号が制御ＩＦ４２、主制御部側絶縁ＩＦ４１、コンデンサ２４、回線側絶縁ＩＦ３８を介してフックスイッチ２２に入力して当該フックスイッチ２２がＯＮに制御される。
【００４３】
また、このフックスイッチ２２は、一定間隔でＯＮ／ＯＦＦすることで、ダイヤルパルスの送出も兼ねている。
【００４４】
回線側絶縁ＩＦ３８は、電流センサ３１からのフック検出信号、リンギング検出回路３２からのリングギング検出信号及び回線側ＣＯＤＥＣ３７からのファクシミリ信号／ハンドセット通話信号をコンデンサ２５に対しシリアル信号に一本化し、またフックスイッチ２２へのフックスイッチ制御信号及び回線側ＣＯＤＥＣ３７へのファクシミリ信号／ハンドセット通話信号に対しコンデンサ２４からのシリアル信号をそれぞれに分離するものである。
【００４５】
主制御部側回路４０は、主制御部側絶縁ＩＦ４１、制御ＩＦ４２、ＴＸ・ＲＸＩＦ４３、複数信号切換スイッチ４４等を有して、ファクシミリ装置１本体から給電される。
【００４６】
主制御部側絶縁ＩＦ４１は、回線側絶縁ＩＦ３８と逆の機能を受け持ち、ＴＸ・ＲＸＩＦ４３へのファクシミリ信号／ハンドセット通話信号、制御ＩＦ４２への各検出信号に対し、コンデンサ２５からのシリアル信号をそれぞれに分離し、またＴＸ・ＲＸＩＦ４３からのファクシミリ信号／ハンドセット通話信号、制御ＩＦ４２からの各制御信号を、コンデンサ２４に対しシリアル信号に一本化するものである。
【００４７】
制御ＩＦ４２は、主制御部１０とのインターフェースを行うものである。
【００４８】
ＴＸ・ＲＸＩＦ４３は、モデム１２やハンドセット３の前段に設けられて、このモデム１２やハンドセット３とのインターフェースをなすものである。
【００４９】
複数信号切換スイッチ４４は、主制御部１０からの複数信号切換スイッチ制御信号により制御され、そのコモン端子はＴＸ・ＲＸＩＦ４３に接続され、一方の切換端子はモデム１２に、他方の切換端子はハンドセットＩＦ部５０を介してハンドセット３に接続されている。
【００５０】
これにより、ＴＸ・ＲＸＩＦ４３とモデム１２との間、ＴＸ・ＲＸＩＦ４３とハンドセットＩＦ部５０と間をシリアル通信によりハンドシェークし、ファクシミリ通信の際にはモデム１２と回線とを接続するように切換え、ハンドセット通話の際には回線２とハンドセット３とを接続するように切換えられる。なお、待機状態においては、図２に示すようにモデム１２と回線とが接続するようになっている。
【００５１】
この複数信号切換スイッチ４４を、ＭＯＳＦＥＴ等の半導体素子により形成することができ、この場合には同様に半導体で形成された主制御部側回路４０に容易に組込むことが可能となり小型化やコストダウンを図ることができる利点がある。
【００５２】
まお、待機状態においてモデム１２と回線とが接続するように設定したのは、ハンドセット３を持たないファクシミリ装置においても利用できるようにするためである。
【００５３】
このハンドセットＩＦ部５０は、ハンドセット３からのアナログ信号を主制御部側回路４０に対しディジタル信号にＡ／Ｄ変換する一方、主制御部側回路４０からのディジタル信号をハンドセット３に対しアナログ信号にＤ／Ａ変換するハンドセット側ＣＯＤＥＣ５１、ハンドセット３とハンドセット側ＣＯＤＥＣ５１との間で授受する信号のゲイン調整を行う送話アンプ５２、受話アンプ５３を有している。
【００５４】
このように複数信号切換スイッチ４４を制御することによりＴＸ・ＲＸＩＦ４３の接続先をモデム１２とハンドセットＩＦ部５０とに切替えることができるので、図７に示すようにハンドセット３に専用のＴＸ・ＲＸＩＦ、絶縁ＩＦ、結合用絶縁部を設ける必要が無くなり、小型化が可能になると共に低コスト化を図ることが可能になる。
【００５５】
なお、上記説明では、ハンドセットＩＦ部５０を主制御部側回路４０と別構成にしたが、本発明はこれに限定されるものではなく、例えば図３に示すように、ハンドセット側ＣＯＤＥＣ５１を当該主制御部側回路４０に設けても良い（即ち、ハンドセット側ＣＯＤＥＣ５１を主制御部側回路４０に組込んだ構成）。
【００５６】
また、図４に示すようにハンドセット側ＣＯＤＥＣ５１のみならず送話アンプ５２、受話アンプ５３も該主制御部側回路４０に設けてもよい（即ち、ハンドセットＩＦ部５０を主制御部側回路４０に組込んだ構成）。
【００５７】
このようにハンドセット側ＣＯＤＥＣ５１、送話アンプ５２、受話アンプ５３等を主制御部側回路４０に設けることにより、さらなる小型化が可能になると共に低コスト化を図ることが可能になる。
【００５８】
次に、本発明の第２の実施の形態を図を参照して説明する。なお、上述した第１の実施の形態と同一構成に関しては同一符号を用い説明を適宜省略する。
【００５９】
第１の実施の形態においては、回線側絶縁ＩＦ３８の回線側ＣＯＤＥＣ３７とハンドセットＩＦ部５０のハンドセット側ＣＯＤＥＣ５１との２つのＣＯＤＥＣが必要であった。
【００６０】
そこで、本実施の形態では、１つのＣＯＤＥＣによりファクシミリ通信／ハンドセット通話を行えるようにしたものである。
【００６１】
図５は本実施の形態の説明に適用されるファクシミリ装置における回線ＩＦ部１１の構成を示すブロック図で、先に示した図２に対して、回線側回路３０に回線側Ａ／Ｄスイッチ６０、回路側アナログ絶縁ＩＦ６２を追設し、また主制御部側回路４０に主制御部側Ａ／Ｄスイッチ６３、主制御部側アナログ絶縁ＩＦ６４を追設している。
【００６２】
なお、回線側ディジタル絶縁ＩＦ６１及び主制御部側ディジタルＩＦ６５は、先に説明した回線側絶縁ＩＦ３８及び主制御部側ＩＦ４１と同じ構成のものであるが、回路側アナログ絶縁ＩＦ６２や主制御部側アナログ絶縁ＩＦ６４と区別するため、名称にディジタル付けてこれらの相違を明記している。
【００６３】
アナログ信号を伝送させるためには差動にする必要があることから、送信時は高絶縁の結合用絶縁部２３のコンデンサ２５、２７を用い、受信時は高絶縁のコンデンサ２４、２６を用いる。
【００６４】
一方、デジタル信号を伝送させるためには差動にする必要がないので、送信時は高絶縁の結合用絶縁部２３のコンデンサ２５を用い、受信時は高絶縁のコンデンサ２４を用いる。
【００６５】
回路側アナログ絶縁ＩＦ６２は、回線側回路３０のアナログ信号に対する絶縁ＩＦで、受信アンプ３５から出力されるハンドセット通話信号をアナログ信号のまま結合用絶縁部２３を介して伝送するために変調を掛けたりする一方、ハンドセットＩＦ部５０を介してハンドセット３から出力されるハンドセット通話信号をアナログ信号のまま結合用絶縁部２３を介して伝送された変調信号を復調させ送信アンプ３４に加算入力するためのものである。
【００６６】
主制御部側アナログ絶縁ＩＦ６４は、主制御部側回路４０のアナログ信号に対する絶縁ＩＦで、回線側回路３０の回路側アナログ絶縁ＩＦ６２と逆の機能を受持っている。
【００６７】
回線側Ａ／Ｄスイッチ６０及び主制御部側Ａ／Ｄスイッチ６３は、主制御部１０からのＡ／Ｄ信号切換スイッチ制御信号により連動して制御される。
【００６８】
回線側Ａ／Ｄスイッチ６０の制御は、Ａ／Ｄ信号切換スイッチ制御信号が、主制御部１０から制御ＩＦ４２、主制御部側ディジタル絶縁ＩＦ６５、主制御部側Ａ／Ｄスイッチ６３、コンデンサ２４、回線側Ａ／Ｄスイッチ６０を介して回線側ディジタル絶縁ＩＦ６１に入力し、この回線側ディジタル絶縁ＩＦ６１により制御される。
【００６９】
また、主制御部側Ａ／Ｄスイッチ６３の制御は、主制御部１０から制御ＩＦ４２を介して主制御部側ディジタル絶縁ＩＦ６５に入力し、この主制御部側ディジタル絶縁ＩＦ６５により制御される。
【００７０】
待機時には図５に示す状態となっており、これによりハンドセット３を持たないファクシミリ装置においては回線側Ａ／Ｄスイッチ６０や主制御部側Ａ／Ｄスイッチ６３を制御しなくてもよいようになっている。
【００７１】
従って、ハンドセット３を持たないファクシミリ装置では、かかる回線側Ａ／Ｄスイッチ６０や主制御部側Ａ／Ｄスイッチ６３を意識する必要がないので、制御プログラムは容易に作成できるようになる。
【００７２】
そして、ファクシミリ通信、Ａ／Ｄ信号切換スイッチ制御、リンギング／フック検出／フックスイッチ制御などの回線制御を行う際には、デジタル絶縁ＩＦ側のままとし（図５の状態）、ハンドセット通話を行う際にはアナログ絶縁ＩＦの側に切換えられる。
【００７３】
また、回線側Ａ／Ｄスイッチ６０及び主制御部側Ａ／Ｄスイッチ６３は、半導体化され、それぞれが回線側回路３０と主制御部側回路４０とに組込まれることにより、小型化及び低コストかが図られている。
【００７４】
以上説明したように、回線側Ａ／Ｄスイッチ６０及び主制御部側Ａ／Ｄスイッチ６３等を設けることにより１のＣＯＤＥＣでファクシミリ通信／ハンドセット通話を行うことが可能になる。
【００７５】
なお、本実施の形態においても、図６に示すようにハンドセットＩＦ部５０を主制御部側回路４０に組込むことが可能であり、かかる構成により小型化及び低コスト化が可能になる。
【００７６】
【発明の効果】
以上説明したように請求項１にかかる発明によれば、ファクシミリ装置本体とハンドセットとが、１の結合用絶縁部を介して通信できるように、当該ファクシミリ装置本体とハンドセットとの信号を切換える複数信号切換スイッチとを設けたので、ハンドセットが主制御部側回路に取付けられる構成であっても、１の結合用絶縁部で済むため装置の小型化及びコストダウンが可能になる。
【００７７】
請求項２にかかる発明によれば、回線側回路と主制御部側回路とがディジタル信号により送受信を行うように、回線を介して回線側回路に受信されたアナログ信号をＡ／Ｄ変換して主制御部側回路に出力すると共に、該主制御部側回路から入力したディジタル信号をＤ／Ａ変換して回線に出力する回線側ＣＯＤＥＣが回線側回路に設けられ、かつ、ハンドセットからのアナログ信号をＡ／Ｄ変換して主制御部側回路に出力すると共に該主制御部側回路からのディジタル信号をＤ／Ａ変換してハンドセットに出力するハンドセット側ＣＯＤＥＣを主制御部側回路に設けたので、これらが１チップ化して形成できるようになり装置の小型化及びコストダウンが可能になる。
【００７８】
請求項３にかかる発明によれば、結合用絶縁部によりファクシミリ通信信号等のディジタル信号とハンドセット通話信号等のアナログ信号との両方の信号が伝送できるように、回線側回路及び主制御部側回路に伝送信号がディジタル信号であるかアナログ信号であるかに応じて切換制御が行われるＡ／Ｄ信号切換スイッチを設けたので、重複する部品の併用が可能になって装置の小型化及びコストダウンが可能になる。
【００７９】
請求項４にかかる発明によれば、主制御部側回路に、当該主制御部側回路とハンドセットとの間で送受信する信号のゲイン調整を行う送話／受話アンプを設けたので、これらが１チップ化して形成できるようになり装置の小型化及びコストダウンが可能になる。
【００８０】
請求項５にかかる発明によれば、複数信号切換スイッチ又はＡ／Ｄ信号切換スイッチが、ハンドセット通話信号が検出された場合には主制御部側回路とハンドセットとを接続するように切換制御され、回線側回路からのフック信号、リンギング信号等の回線制御信号及びファクシミリ通信信号が検出された場合には主制御部側回路とファクシミリ装置本体とを接続するように切換制御されるようにしたので、重複する部品の併用が可能になって装置の小型化及びコストダウンが可能になる。
【図面の簡単な説明】
【図１】本発明の実施の形態の説明に適用されるファクシミリ装置の概略構成を示すブロック図である。
【図２】第１の実施の形態の説明に適用される回線ＩＦ部の概略構成を示すブロック図である。
【図３】図２に代る構成の回線ＩＦ部の概略構成を示すブロック図である。
【図４】図２に代る構成の回線ＩＦ部の概略構成を示すブロック図である。
【図５】第２の実施の形態の説明に適用される回線ＩＦ部の概略構成を示すブロック図である。
【図６】図５に代る構成の回線ＩＦ部の概略構成を示すブロック図である。
【図７】従来の技術の説明に適用される回線ＩＦ部の概略構成を示すブロック図である。
【符号の説明】
３　ハンドセット
１０　主制御部
１２　モデム
３０　回線側回路
３１　電流センサ
３２　リンギング検出回路
３７　回線側ＣＯＤＥＣ
３８　回線側絶縁ＩＦ
２３　結合用絶縁部
２４，２５，２６，２７　コンデンサ
４０　主制御部側回路
４１　主制御部側絶縁ＩＦ
４４　複数信号切換スイッチ
５０　ハンドセットＩＦ部
５１　ハンドセットＣＯＤＥＣ
５２　送話アンプ
５３　受話アンプ
６０　回線側Ａ／Ｄスイッチ
６１　回線側ディジタル絶縁ＩＦ
６２　回線側アナログ絶縁ＩＦ
６３　主制御部側Ａ／Ｄスイッチ
６４　主制御部側アナログ絶縁ＩＦ
６５　主制御部側ディジタル絶縁ＩＦ
【図１】
2004104557.tif 000003
【図２】
2004104557.tif 000004
【図３】
2004104557.tif 000005
【図４】
2004104557.tif 000006
【図５】
2004104557.tif 000007
【図６】
2004104557.tif 000008
【図７】
2004104557.tif 000009